(57)【要約】【課題】縦長と横長のいずれの表示画面でも閲覧可能にセットすることのできる携帯電話機の卓上ホルダ構造及び携帯電話機の卓上ホルダを提供すること。【解決手段】表示画面１０２ａを露出する状態に携帯電話機１００をセットして該携帯電話機の姿勢を保持させるホルダ部１１と、前記ホルダ部を連結されて該ホルダ部の姿勢を保持する基体部２１とを備えて、前記ホルダ部は概略円盤形状に形成された外周面１３を有する一方、基体部はその外周面と同一形状の内周面２２ａを有する窪み部２２を具備しており、その基体部の窪み部が、セットした携帯電話機を縦向きや横向きなど任意の姿勢にするホルダ部の回転角度を回転しないように保持する。【選択図】図１
2010161742.tif 000002
【特許請求の範囲】
【請求項１】
卓上に静置される基体部と、
携帯電話機の画面閲覧が可能な状態で、当該携帯電話機を保持するためのホルダ部と、
該ホルダ部に保持された前記携帯電話機の縦長と横長とのいずれの画面閲覧にも対応できる態様で、前記ホルダ部を前記基体部に対して結合する結合機構とを備えてなることを特徴とする携帯電話機の卓上ホルダ。
【請求項２】
前記携帯電話機の縦長画面と横長画面とのいずれの閲覧も可能な状態で、前記携帯電話機を保持して充電するための充電機能が付加されていることを特徴とする請求項１記載の携帯電話機の卓上ホルダ。
【請求項３】
前記結合機構は、前記ホルダ部を前記基体部との結合位置で回転自在に支持することを特徴とする請求項１又は２記載の携帯電話機の卓上ホルダ。
【請求項４】
前記結合機構は、前記ホルダ部が円筒状外面を有する一方、前記基体部は円筒状内面を有して、前記ホルダ部の円筒状外面と前記基体部の円筒状内面とを対面接触させて、前記ホルダ部を前記基体部に回転自在に支持させることを特徴とする請求項３記載の携帯電話機の卓上ホルダ。
【請求項５】
前記ホルダ部には、前記携帯電話機の備える充電用電極に接続する電極接続部が配設されているとともに、前記基体部には、前記携帯電話機に充電電力を供給する電源に接続する電源接続部が配設されており、
前記ホルダ部の円筒状外面又は前記基体部の円筒状内面の一方には、前記円筒状外面又は前記円筒状内面の他方に向かって突出する突出電極が形成されて前記電極接続部又は前記電源接続部の一方に導通すると共に、
前記ホルダ部の円筒状外面又は前記基体部の円筒状内面の他方には、当該円筒状周方向に延在して前記突出電極が当接して導通接続する延在電極が形成されて前記電極接続部又は前記電源接続部の他方に導通することを特徴とする請求項４記載の携帯電話機の卓上ホルダ。
【請求項６】
前記延在電極は、前記円筒状外面又は前記円筒状内面の周方向に延在する凹部内に形成されていることを特徴とする請求項５記載の携帯電話機の卓上ホルダ。
【請求項７】
前記突出電極は、前記凹部と略同一幅に形成されていることを特徴とする請求項６記載の携帯電話機の卓上ホルダ。
【請求項８】
前記延在電極には、所望の姿勢の前記ホルダ部を前記基体部が支持するときに、前記突出電極の先端部を係合させる窪みが形成されていることを特徴とする請求項５記載の携帯電話機の卓上ホルダ。
【請求項９】
前記携帯電話機が前記画面を内面側にする折り畳み機構を備えているのに対して、
前記ホルダ部は、前記画面を内面側にする折り畳み状態と、該画面を露出する開放状態との双方の姿勢の前記携帯電話機を保持することを特徴とする請求項１乃至８の何れか一に記載の携帯電話機の卓上ホルダ。
【請求項１０】
携帯電話機の画面閲覧が可能な状態で、当該携帯電話機を保持して充電するための充電機能を備え、
前記携帯電話機の縦長での画面閲覧する際に充電するための第１の充電端子と、前記携帯電話機の横長での画面閲覧する際に充電するための第２の充電端子と、を備えてなることを特徴とする携帯電話機の卓上ホルダ。
【請求項１１】
携帯電話機の画面を閲覧可能な状態に露出させて当該携帯電話機を保持するホルダ部を備えて、
該ホルダ部は、前記携帯電話機の下端部を収容して保持する収容部と、前記携帯電話機の少なくとも一方の側面における前記収容部から離隔する部位を支持可能に対面する支持部とを有することを特徴とする携帯電話機の卓上ホルダ構造。
【請求項１２】
前記ホルダ部は、前記収容部及び前記支持部が内部に形成されている円盤形状に作製されて、該円盤形状の外周面が回転自在に支持されることを特徴とする請求項１１記載の携帯電話機の卓上ホルダ構造。
【請求項１３】
前記ホルダ部の円盤形状の外周面が、円弧状の内面を有する凹部が対面接触して所望の回転角度で支持されることを特徴とする請求項１２記載の携帯電話機の卓上ホルダ構造。
【発明の詳細な説明】
【技術分野】
【０００１】
この発明は、携帯電話機の卓上ホルダ及びその構造に係り、詳しくは、表示画面を縦向きや横向きなどにする姿勢で携帯電話機を保持させることのできる携帯電話機の卓上ホルダ及びその構造に関する。
【背景技術】
【０００２】
携帯電話機を充電する際には、図１１に示すように、例えば、折り畳み式の携帯電話機１００では、有底の筒形状に形成されているホルダ１１０の上面に開口する差込口１１０ａ内に縦向きに差し込んで行う。この場合には、携帯電話機１００の下端面に露出する一対の接触電極１０１に、ホルダ１１０の差込口１１０ａの底面から突出する一対の充電電極１１１を当接させて接続状態にする。なお、図１１中の１１２は充電電極１１１と商用電源との間に介在して充電電圧に変換するＡＣアダプタである。
【０００３】
ところで、近年の携帯電話機では、多機能化に伴って、縦長の表示画面での利用に限られずに、表示画面が横長になる姿勢に保持して、例えば、ワンセグメント放送でテレビジョン用放送を視聴したり、フルブラウザでインターネット上のサイトを表示するなど、多様な表示形態が行われている。
【０００４】
このため、携帯電話機の卓上ホルダとしては、図１１に示すように、縦向きの姿勢で携帯電話機１００を載置しつつ充電するものが主流だったが、近年には、表示画面を横長にする姿勢に携帯電話機を載置しつつ充電することもできるホルダが提案されている（例えば、特許文献１）。
【先行技術文献】
【特許文献】
【０００５】
【特許文献１】特開２００５−１０１８７９号公報
【発明の概要】
【発明が解決しようとする課題】
【０００６】
しかしながら、このような携帯電話機の卓上ホルダにあっては、縦長の表示画面での利用だけでなく、横長の表示画面での利用もされているのにも拘わらずに、何れか一方の姿勢にした携帯電話機をセットすることができるだけであった。
【０００７】
このため、携帯電話機は、利用する際の表示画面の表示形態に応じてホルダを使い分けることができず、逆にホルダにセット可能な姿勢に表示画面の表示形態が制限されてしまう、という問題があった。
【０００８】
この発明は、上述の事情に鑑みてなされたもので、縦長と横長のいずれの表示画面でも視認可能にセットすることのできる携帯電話機の卓上ホルダ構造及び携帯電話機の卓上ホルダを提供することを目的としている。
【課題を解決するための手段】
【０００９】
上記課題を解決するために、この発明の構成は、卓上に静置される基体部と、携帯電話機の画面閲覧が可能な状態で、当該携帯電話機を保持するためのホルダ部と、該ホルダ部に保持された前記携帯電話機の縦長と横長とのいずれの画面閲覧にも対応できる態様で、前記ホルダ部を前記基体部に対して結合する結合機構とを備えてなることを特徴としている。
【発明の効果】
【００１０】
この発明の構成によれば、携帯電話機の各種情報を表示する画面を縦長画面と横長画面とのいずれでも閲覧可能な状態に、すなわち、携帯電話機を縦向き又は横向きの姿勢にホルダ部を基体部に結合保持させることができる。したがって、画面の表示形態が制限されることなく、利用時の縦長や横長の画面に応じた姿勢に携帯電話機を保持することができ、快適に縦長画面や横長画面を閲覧することができる。
【図面の簡単な説明】
【００１１】
【図１】この発明の第１実施形態である携帯電話機の卓上ホルダの全体構成を分解して示す分解透視斜視図である。
【図２】同ホルダのホルダ部の内部構造を示す図であり、（ａ）はその正面図、（ｂ）はその側面図である。
【図３】同ホルダにセットする携帯電話機を示す斜視図である。
【図４】同ホルダに携帯電話機をセットしたときの状態を示す一部断面立面図である。
【図５】縦向きの携帯電話機での同ホルダの利用を説明する斜視図である。
【図６】横向きの携帯電話機での同ホルダの利用を説明する斜視図である。
【図７】この発明の第２実施形態である携帯電話機の卓上ホルダのホルダ部の構成を示す図であり、（ａ）はその側面図、（ｂ）はその正面図である。
【図８】同ホルダの基体部の構成を示す斜視図である。
【図９】この実施形態の他の態様である、同ホルダのホルダ部の内部構造を示す図であり、（ａ）はその正面図、（ｂ）はその側面図である。
【図１０】同ホルダに携帯電話機をセットしたときの状態を示す一部断面立面図である。
【図１１】この発明の関連技術品としての、携帯電話機の卓上ホルダの概略構成を示す内部透視斜視図である。
【発明を実施するための形態】
【００１２】
卓上に静置される基体部と、携帯電話機の画面閲覧が可能な状態で、当該携帯電話機を保持するためのホルダ部と、該ホルダ部に保持された前記携帯電話機の縦長と横長とのいずれの画面閲覧にも対応できる態様で、前記ホルダ部を前記基体部に対して回転自在に結合する結合機構とを備えるとともに、前記携帯電話機の縦長画面と横長画面とのいずれの閲覧も可能な状態で、前記携帯電話機を保持して充電するための充電機能が付加されている。
以下、図面を参照して、この発明の実施形態について詳細に説明する。
【実施形態１】
【００１３】
図１は、この発明の第１実施形態の携帯電話機の卓上ホルダの全体構成を分解して示す分解斜視図、図２は、同ホルダのホルダ部の内部構造を示す図、図３は、同ホルダにセットする携帯電話機を示す斜視図、図４は、同ホルダに携帯電話機をセットしたときの状態を示す立面図、図５は、縦向きの携帯電話機での同ホルダの利用を説明する斜視図、また、図６は、横向きの携帯電話機での同ホルダの利用を説明する斜視図である。なお、ここでは、図１１に示す携帯電話機１００をセットする同ホルダを説明する（以下で説明する他の実施形態においても同様）。
【００１４】
図１において、携帯電話機の卓上ホルダは、概略円盤形状に形成されているホルダ部１１と、ホルダ部１１を載置する基体部２１とを備えて構成されており、携帯電話機１００をホルダ部１１にセットして所望の姿勢に基体部２１に保持させる。ここで、携帯電話機１００は、図５に示すように、表示側筐体１０２と操作側筐体１０３とをヒンジ部１０４で相対的に回動可能に連結されており、表示側筐体１０２の内面側に各種情報を表示する表示画面１０２ａを備えている。
【００１５】
ホルダ部１１は、図２に示すように、背面１２が軸心に対して鉛直面に形成されて外周面（円筒状外面）１３との間の挟角が直角になっており、前面１４が軸心と斜めに交差する傾斜面に形成されている。ホルダ部１１の外周面１３は、背面１２と前面１４の間の最厚部１３ａが折り畳み状態の携帯電話機１００の厚さよりも幅広に形成されているとともに、背面１２と前面１４の間の最薄部１３ｂが折り畳み状態の携帯電話機１００の厚さよりも幅狭に形成されている。ホルダ部１１は、外周面１３の最薄部１３ｂ側から最厚部１３ａ側に向かって切り欠かれて、折り畳み状態の携帯電話機１００を差込可能に開口する有底の差込口１５が形成されている。これにより、ホルダ部１１は、差込口１５が携帯電話機１００のヒンジ部１０４の反対側下端部を収容する収容ポケット部（収容部）１５ａを外周面１３の最厚部１３ａ側に有して、その差込口１５にセットする携帯電話機１００の上部を露出する状態にする姿勢で保持する。
【００１６】
基体部２１は、直方体のブロック形状に形成されていると共に、その上面には湾曲形状に窪む窪み部２２が形成されており、窪み部２２は、ホルダ部１１の外周面１３の最厚部１３ａより広めの幅で同一の円弧形状の内周面（円筒状内面）２２ａを有するように形成されている。
【００１７】
そして、ホルダ部１１と基体部２１は、少なくとも他の部材と接する表面の外周面１３や差込口１５の内面や窪み部２２の内周面２２ａが、例えば、粗面に形成されるなどして、相対的に滑ることを制限するようになっている。
【００１８】
これにより、基体部２１には、窪み部２２内に外周面１３を面接触させる状態でホルダ部１１を任意の姿勢（回転角度）に載置して保持させることができる。この基体部２１は、ホルダ部１１の差込口１５の収容ポケット部１５ａ内に携帯電話機１００をセットして、例えば、縦向きから横向きに９０度回転させた姿勢で保持させる状態でも、差込口１５の側壁（支持部）１５ｂが携帯電話機１００の側面１００ａに対面支持することができる。このとき、基体部２１は、ホルダ部１１に携帯電話機１００をセットして保持させる状態でも、外周面１３と窪み部２２の内周面２２ａとの間の摩擦力でホルダ部１１が回転してしまわないようにして、携帯電話機１００のセット時の姿勢を保持することができる。すなわち、ホルダ部１１の外周面１３と基体部２１の窪み部２２（内周面２２ａ）とで、結合機構を構成している。なお、ホルダ部１１は、携帯電話機１００を差込口１５に差し込んでセットした後に回転させてもよく、あるいは、回転させた後に携帯電話機１００を差込口１５に差し込んでセットしても良い。
【００１９】
また、ホルダ部１１は、一対の突出電極（電極接続部）３１が差込口１５の底面１５ｃに設置されており、その突出電極３１を携帯電話機１００の下端面に露出する接触電極（充電用電極）１０１に当接させて導通接続させる。突出電極３１は、突出方向に不図示のバネで付勢されており、差込口１５内に差し込まれた携帯電話機１００の接触電極１０１に押されると接触状態を維持しつつ埋没する。この突出電極３１には、ホルダ部１１の背面１２側の中央付近に開口する取出口３２まで延長されている延長ケーブル３３が導通接続されている。
【００２０】
このホルダ部１１は、携帯電話機１００の操作側筐体１０３の厚さに対応してその表面側に沿うようにリブ１７ａが差込口１５の側壁１５ｂに形成されている。ここで、携帯電話機１００は、図３に示すように、底面の接触電極１０１の間に凹部１０５を形成されていると共に操作側筐体１０３の側面１００ａにも凹部１０６を形成されている。これに合わせて、ホルダ部１１は、差込口１５の底面１５ｃの突出電極３１の間で突出する凸部１７ｂが形成されていると共に側壁１５ｂにも凸部１７ｃが形成されている。これにより、ホルダ部１１は、差込口１５内に携帯電話機１００の操作側筐体１０３をリブ１７ａに案内させつつ差し込んで凹部１０５、１０６内に凸部１７ｂ、１７ｃを嵌め込むことができ、図４（ａ）に示すように、折り畳んだ状態の携帯電話機１００でも、図４（ｂ）に示すように、開いた状態の携帯電話機１００でも接触電極１０１に突出電極３１を接触させて導通接続させることができる。なお、このホルダ部１１に形成するリブ１７ａや凹部１７ｂ、１７ｃの位置や形状や個数などは、携帯電話機１００に合わせて適宜形成すればよく、例えば、凹部１０５に代えて、携帯電話機１００の下端部の両側に凹部が形成されていたり、凸部が形成されている場合には、対応する位置に凸部や凹部を形成すればよい。
【００２１】
一方、基体部２１には、商用電源に電源ケーブル３４を介して接続して携帯電話機１００用の充電電圧に変換するＡＣアダプタ（電源接続部）３５が接続されている。また、基体部２１の背面側には、ホルダ部１１の背面２１の中央付近まで対面する壁部材３６が設置されており、その壁部材３６の内部には、電源ケーブル３４を延長する延長ケーブル３７がホルダ部１１の背面２１の中央付近に対応する位置に開口する取出口３８まで配線されている。この延長ケーブル３７は、ホルダ部１１側の延長ケーブル３３とコネクタ３９で接断することができるようになっており、例えば、差込口１５の形状が異なるホルダ部１１に交換して基体部２１にセットすることもできる。
【００２２】
これにより、携帯電話機１００は、基体部２１にセットしたホルダ部１１の差込口１５内にヒンジ部１０４の反対側下端部を差し込んで接触電極１０１を突出電極３１に導通接続させて充電することができる。この携帯電話機１００は、開いた状態でホルダ部１１にセットした場合には、充電しつつ、図５に示すように、その表示画面１０２ａを差込口１５から露出する状態で縦向きの姿勢で保持することができる一方、図６に示すように、その表示画面１０２ａを横向きの姿勢で保持することもできる。なお、横向きの状態でも、ホルダ部１１は、携帯電話機１００の凹部１０５、１０６内に凸部１７ｂ、１７ｃを嵌め込む状態を維持すると共に、突出電極３１も突出しようとすることから、携帯電話機１００の接触電極１０１にその突出電極３１が導通接触する状態を維持することができる。
【００２３】
このように、この実施形態によれば、表示側筐体１０２と操作側筐体１０３を開いて、表示画面１０２ａが露出する状態の携帯電話機１００をホルダ部１１の差込口１５内に差し込んで保持させることができる。このホルダ部１１は、基体部２１に対して回転させることにより、その表示画面１０２ａを縦向きだけでなく、斜めにしたり、横向きにすることもでき、その姿勢を外周面１３と基体部２１の窪み部２２（内周面２２ａ）との間の摩擦力で保持することができる。したがって、携帯電話機１００の表示画面１０２ａの表示形態を制限することなく、利用時の縦長や横長の表示画面１０２ａに応じた姿勢で携帯電話機１００をホルダ部１１にセットすることができ、快適に表示画面１０２ａを閲覧することができる。
【実施形態２】
【００２４】
次に、図７は、この発明の第２実施形態の携帯電話機の卓上ホルダのホルダ部の構成を示す図、図８は同ホルダの基体部の構成を示す斜視図である。ここで、この実施形態は、上述の実施形態と略同様に構成されているので、同様の構成には、同一の符号を付して特徴部分を説明する。
【００２５】
図７において、携帯電話機の卓上ホルダは、上述の実施形態と同様に、ホルダ部１１と、基体部２１と、を備えて構成されており、ホルダ部１１の差込口１５の底面１５ｃには、一対の突出電極３１が突出する一方、基体部２１には、電源ケーブル３４を介してＡＣアダプタ３５が接続されている。
【００２６】
このホルダ部１１は、外周面１３の最厚部１３ａから左側中間部１３ｃまで凹状に窪む一対の凹部４１が形成されており、この凹部４１の底面には、同様に周方向に延在する延在電極（受け電極）４２がそれぞれ取り付けられている。この一対の延在電極４２には、突出電極３１が延長ケーブル４３を介してそれぞれ導通接続されている。
【００２７】
一方、基体部２１には、窪み部２２の内周面２２ａからホルダ部１１の延在電極４２に対応するように一対の突出電極４４が突出しており、突出電極４４は、ホルダ部１１の突出電極３１と同様に、窪み部２２にセットされたホルダ部１１の延在電極４２に押されると接触状態を維持しつつ埋没する。この一対の突出電極４４には、延長ケーブル４５と電源ケーブル３４を介してＡＣアダプタ３５が接続されている。
【００２８】
これにより、ホルダ部１１と基体部２１は、上述の実施形態のように、コネクタ接続する延長ケーブル３５、３７を介して電気的に接続するのに代えて、ホルダ部１１の外周面１３を基体部２１の窪み部２２内に載置するだけで、その外周面１３の凹部４１内の延在電極４２に窪み部２２の突出電極４４を当接させて導通接続することができる。
【００２９】
このように、この実施形態によれば、上述の実施形態の作用効果に加えて、ホルダ部１１を基体部２１にセットするだけで、携帯電話機１００の充電可能に電気的に接続することができる。また、ホルダ部１１の延在電極４２には、外周面１３の凹部４１内に窪み部２２の突出電極４４を進入させて導通接続させるので、ホルダ部１１が軸方向にずれようとしても凹部４１の側壁で突出電極４４を衝止して基体部２１から脱落してしまうことを未然に防止することができる。
【００３０】
また、この実施形態の他の態様としては、図示することは省略するが、ホルダ部１１の外周面１３側に延在電極４２を配設する一方、基体部２１の窪み部２２側に突出電極４４を配設するが、これに限らない。例えば、ホルダ部１１の外周面１３側にはリブ形状に延在する突出電極を設ける一方、基体部２１の窪み部２２には対応する間隔で離隔する平面電極あるいは溝電極を受け電極として設けて、互いに導通接続するようにしても良い。
【００３１】
また、基体部２１の窪み部２２側には、突出電極４４に代えて、ホルダ部１１の凹部４１の幅と略同一幅に形成されている突出電極を設けることにより、ホルダ部１１が基体部２１に対して軸方向にずれない（がたつかない）ようにしても良い。
【００３２】
また、ホルダ部１１の延在電極４２には、滑らかな曲面状に延在するだけでなく、例えば、ホルダ部１１の外周面１３の最厚部と左側中間部に対応する箇所に窪みを形成することにより、基体部２１の窪み部２２側の突出電極４４の先端部を進入させて周方向にずれないようにしても良い。
【００３３】
さらに、上述の実施形態の他の態様としては、携帯電話機１００をリブ１７ａや凸部１７ｂ、１７ｃでホルダ部１１の差込口１５内に位置決め保持して、その接触電極１０１と突出電極３１とを導通接続させる場合を説明するが、これに限るものではない。例えば、携帯電話機１００に凹部がない場合でも、その側面１００ａの外周形状に一致する凸部を差込口１５の側壁１５ｂに形成するだけでも嵌め込んで位置決め保持することができる。また、図９に示すように、バネ機能付きのレバー５７を差込口１５内に設けて、差し込まれた携帯電話機１００を背面側に押すことにより、図１０（ａ）に示すように、折り畳んだ状態の携帯電話機１００でも、図１０（ｂ）に示すように、開いた状態の携帯電話機１００でも接触電極１０１に突出電極３１を接触させて導通接続させることができるようにしてもよい。
【００３４】
以上、この発明の一実施形態を図面を参照して詳述してきたが、具体的な構成はこの実施形態に限られるものではなく、この発明の要旨を逸脱しない範囲の設計の変更等があってもこの発明に含まれる。例えば、この発明は、円弧状の外周面を有する概略円盤形状のホルダ部と、同一形状の内周面を備える基体部との組み合わせに限らず、基体部側としては円盤形状をセット可能に離隔する２本のレールでも良い。
【産業上の利用可能性】
【００３５】
この発明は、折り畳み式に限らず、スライド式の携帯電話機や、表示部と操作部が一体の携帯電話機に用いる充電用ホルダにも適用することができ、また、充電機能を備えない視聴用のホルダにも適用することができる。また、携帯電話機に限らず、例えば、ＰＤＡ（携帯情報端末）等の携帯電子端末にも広く適用できる。
【符号の説明】
【００３６】
１１        ホルダ部
２１        基体部
１３        外周面（結合機構、円筒状外面）
１３ａ        凹部
１５        差込口（セット位置）
１５ａ        収容ポケット部（収容部）
１５ｂ        側壁（支持部）
２２        窪み部
２２ａ        内周面（結合機構、円筒状内面）
３１        突出電極（電極接続部）
３５        ＡＣアダプタ（電源接続部）
４１        凹部
４２        延在電極（受け電極）
４４        突出電極
１００        携帯電話機
１０１        接触電極（充電用電極）
１０２ａ        表示画面
【図１】
2010161742.tif 000003
【図２】
2010161742.tif 000004
【図３】
2010161742.tif 000005
【図４】
2010161742.tif 000006
【図５】
2010161742.tif 000007
【図６】
2010161742.tif 000008
【図７】
2010161742.tif 000009
【図８】
2010161742.tif 000010
【図９】
2010161742.tif 000011
【図１０】
2010161742.tif 000012
【図１１】
2010161742.tif 000013